(57)【要約】      （修正有）【課題】把持部の長手軸線上に重心を有し、かつ無端研削ベルトを把持部長手軸線上に配置する際の部品点数を削減し、構造を単純化した無端ベルト式研削工具を提供する。【解決手段】本体部１６に内蔵された動力源であるエアモータ１４と、出力軸３０に固定され圧縮空気の供給により回転駆動する原動滑車１２と、原動滑車１２と並行に配置された静滑車２２を有し、原動滑車１２と静滑車２２との間にかけ回された無端研削ベルトからなる無端ベルト式研削工具。【選択図】図３
2018158430.tif 000002
【特許請求の範囲】
【請求項１】
作業者によって把持される把持部を有する本体部と、
該本体部に内蔵され動力源となるモータと、
該モータの外周を覆うように配置され該モータに駆動連結された原動滑車と、
該原動滑車と並行に配置された静滑車とを有し、
該原動滑車と該静滑車との間にかけ回された無端研削ベルトにより研削作業を行なう無端ベルト式研削工具。
【請求項２】
該原動滑車が、該モータの出力軸に固定された側面部と、該側面部から該モータの外周を覆うように該出力軸の回転中心軸線方向に伸びる円筒状のベルト支持部とを有する請求項１に記載の無端ベルト式研削工具。
【請求項３】
該原動滑車の該側面部と該静滑車の回転軸方向端面を同一平面上に有する請求項２に記載の無端ベルト式研削工具。
【請求項４】
該モータ、該原動滑車、及び該静滑車が該把持部の長手軸線上に配置されている請求項１乃至３のいずれか一項に記載の無端ベルト式研削工具。
【請求項５】
該原動滑車の外周を覆うように配置され該原動滑車の上面方向若しくは底面方向の少なくともどちらか一方を覆うガード部を有する請求項１乃至４のいずれか一項に記載の無端ベルト式研削工具。
【発明の詳細な説明】
【技術分野】
【０００１】
本発明は、研削工具に関し、特に、無端状にした研削ベルトを回転駆動して対象物に当接させることにより、対象物の研削を行なうようにしたベルト式研削工具に関する。
【背景技術】
【０００２】
このような無端ベルト式研削工具では、通常、モータにより回転駆動される原動滑車と、回転自在な静滑車と、該原動滑車と該静滑車とにかけ回される無端研削ベルトと、を備えており、該原動滑車の回転に伴って回転駆動される該無端研削ベルトを対象物に当接させることにより、対象物の研削を行なう。把持部の長手軸線と重心がずれている場合には保持の際に、把持部の長手軸線と研削ベルトがずれている場合には研削の際に、把持部の長手軸線の周りでのねじり方向の力が発生し使用するのに余分な力を必要としてしまう。この為、把持部の長手軸線上に重心を有し、なおかつ同一線上に研削ベルトが配置されている形状が望ましい。例えば特許文献１に開示されているように、通常、研削ベルトを把持部の長手軸線上付近に配置するようにしたものは、ギアなどを介し駆動力を原動滑車へと伝達する構造となっている。
【先行技術文献】
【特許文献】
【０００３】
【特許文献１】特開２００６−１３０６４０号公報
【発明の概要】
【発明が解決しようとする課題】
【０００４】
しかし、このような無端ベルト式研削工具においては、ギアなどを介し駆動力を原動滑車へと伝達する必要があるため部品点数の増加、構造の複雑化などの問題が発生する。
【０００５】
本発明は、従来の無端ベルト式研削工具と比較し、研削ベルトを把持部の長手軸線上に配置する際に部品点数を削減し、構造を単純化することができる無端ベルト式研削工具を提供することを目的とする。
【課題を解決するための手段】
【０００６】
すなわち本発明は、
作業者によって把持される把持部を有する本体部と、
該本体部に内蔵され動力源となるモータと、
該モータの外周を覆うように配置され該モータに駆動連結された原動滑車と、
該原動滑車と並行に配置された静滑車とを有し、
該原動滑車と該静滑車との間にかけ回された無端研削ベルトにより研削作業を行なう無端ベルト式研削工具を提供する。
【０００７】
当該無端ベルト式研削工具においては、モータの外周を覆うように原動滑車を配置するようになっているので、該モータ、該原動滑車、静滑車、及び無端研削ベルトを把持部の長手軸線上に配置するのに際し、ギアなどの動力伝達部品を使用する必要がなく、従来のものに比べて部品点数を削減し単純構造とすることができる。
【０００８】
好ましくは、該原動滑車が、該モータの出力軸に固定された側面部と、該側面部から該モータの外周を覆うように該出力軸の軸線方向に伸びる円筒状のベルト支持部とを有する形状とすることができる。
【０００９】
また好ましくは、該原動滑車の該側面部と該静滑車の回転軸方向端面を同一平面上に有するようにすることができる。
【００１０】
より好ましくは、該モータ、該原動滑車、及び該静滑車が該把持部の長手軸線上に配置されているようにすることができる。
【００１１】
さらに好ましくは、該原動滑車の外周を覆うように配置され該原動滑車の上面方向若しくは底面方向の少なくともどちらか一方を覆うガード部を有するようにすることができる。
【００１２】
以下、本発明に係る無端ベルト式研削工具の実施形態を添付図面に基づき説明する。
【図面の簡単な説明】
【００１３】
【図１】本発明の実施形態に係る無端ベルト式研削工具の側面図である。
【図２】図１の無端ベルト式研削工具の上面図である。
【図３】図１のＩＩＩ−ＩＩＩ線における、無端ベルト式研削工具の上面断面図である。
【発明を実施するための形態】
【００１４】
本発明の実施形態に係る無端ベルト式研削工具１０は、図１乃至図３に示すように、原動滑車１２を回転駆動するためのエアモータ１４と、このエアモータ１４を収納する本体部１６と、この本体部１６を把持するための把持部１８と、原動滑車１２との間に無端研削ベルト２０をかけ回す静滑車２２と、静滑車２２を支持するテンションバー２４と、テンションバー２４を原動滑車１２と静滑車２２との間の距離が広がる方向へ付勢するスプリング２６と、原動滑車１２の外周を覆うように配置されたガード部２８を有する。当該無端ベルト式研削工具１０は、原動滑車１２と静滑車２２との間にかけ回されスプリング２６の付勢力によって張力を与えられた無端研削ベルト２０をエアモータ１４により回転駆動した状態で被削材に押し当てることで被削材を研削するようになっている。
【００１５】
原動滑車１２はエアモータ１４の出力軸３０に圧入により固定されており、回転中心軸線３２に対し直行する側面部１２ａと、エアモータ１４の外周を覆うように回転中心軸線３２の方向に伸びる円筒状のベルト支持部１２ｂとを有している。原動滑車１２と静滑車２２との間にかけ回された無端研削ベルト２０が把持部１８の長手軸線３４上に配置されるようになっている。
【００１６】
次に当該無端ベルト式研削工具１０の動作について説明する。把持部１８の内部の管路（図示しない）を通して圧縮空気を供給するとエアモータ１４が回転駆動し、エアモータ１４に固定された原動滑車１２が同様に駆動され、原動滑車１２と静滑車２２との間にかけ回された研削ベルト２０がベルト支持部１２ｂとの摩擦力によって回転する。この状態で把持部１８を把持し、無端研削ベルト２０を被削材へと押し当てることによって研削を行なう。エアモータ１４の外周を覆うように原動滑車１２が固定されている為、テンションバー２４と原動滑車１２とエアモータ１４と把持部１８とを長手軸線３４上に一直線に配置することができるため、当該無端ベルト式研削工具１０の重心が長手軸線３４上に位置するようにすることができる。これにより、把持部を把持したときに長手軸線３４の周りでのねじり方向への力が作用しづらく、無駄な力を必要とせず把持することが可能である。また研削作業の際は、無端研削ベルト２０が把持部１８の長手軸線３４上に配置されている為、長手軸線３４を中心に回転する方向への力が作用しづらく、無駄な力を必要とせず研削作業を行うことが可能である。
【００１７】
上記実施形態では、動力源をエアモータ１４としているが電動モータとすることもできる。
【００１８】
また、原動滑車１２の側面部１２ａと静滑車２２の端面を同一平面上に設けるようにすれば、より当該無端ベルト式研削工具１０を壁面に寄せた状態で使用することができる。
【００１９】
さらに、ガード部２６は研削の際に研削粉が周囲に飛散するのを防止する役割を果たすが、上面ではなく、底面、もしくは両方を覆うように配置することもできる。
【００２０】
このように当該無端ベルト式研削工具１０においては、エアモータ１４の外周を覆うように原動滑車１２を配置することにより、エアモータ１４、原動滑車１２、無端研削ベルト２０、及び静滑車２２を把持部１８の長手軸線３４上に配置するのに際し、ギアなどの動力伝達部品を使用する必要がなく、従来のものに比べて部品点数を削減し単純構造とすることができる。
【符号の説明】
【００２１】
無端ベルト式研削工具１０；原動滑車１２；側面部１２ａ；ベルト支持部１２ｂ；エアモータ１４；本体部１６；把持部１８；無端研削ベルト２０；静滑車２２；テンションバー２４；スプリング２６；ガード部２８；出力軸３０；回転中心軸線３２；長手軸線３４；
【図１】
2018158430.tif 000003
【図２】
2018158430.tif 000004
【図３】
2018158430.tif 000005
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
作業者によって把持される把持部を有する本体部と、
該本体部に内蔵され動力源となるモータと、
該モータの外周を覆うように配置され該モータに駆動連結された原動滑車と、
該原動滑車と並行に配置された静滑車とを有し、
該モータ、該原動滑車、及び該静滑車が該把持部の長手軸線上に配置されており、
該原動滑車と該静滑車との間にかけ回された無端研削ベルトにより研削作業を行なう無端ベルト式研削工具。
【請求項２】
該原動滑車が、該モータの出力軸に固定された側面部と、該側面部から該モータの外周を覆うように該出力軸の回転中心軸線方向に伸びる円筒状のベルト支持部とを有する請求項１に記載の無端ベルト式研削工具。
【請求項３】
該原動滑車の該側面部と該静滑車の回転軸方向端面を同一平面上に有する請求項２に記載の無端ベルト式研削工具。
【請求項４】
該原動滑車の外周を覆うように配置され該原動滑車の上面方向若しくは底面方向の少なくともどちらか一方を覆うガード部を有する請求項１乃至３のいずれか一項に記載の無端ベルト式研削工具。